(57)【要約】【課題】  第三者によるＡＴＭからの不正な預金の引き出しを防止することができるようにしたＩＣカード、ＡＴＭおよび本人認証システムを提供する。【解決手段】  ＩＣカードは、本人認証用の情報として前記ＩＣカードの所有者の個人情報が記憶された記憶手段を有し、ＡＴＭは、前記ＩＣカードに記憶されている前記個人情報を読み取る手段と、前記ＡＴＭの利用者が個人情報を入力する入力手段と、前記ＩＣカードから読み取った個人情報と、前記入力手段から入力された個人情報とを照合する照合手段と、前記照合手段の照合処理において照合一致した場合に、金融取り引き処理を可能な状態にする手段とを有している。【選択図】        図４
2007164547.tif 000002
【特許請求の範囲】
【請求項１】
ＡＴＭ（現金自動支払機）を利用して金融取り引き処理を行う際に使用するＩＣカードであって、
前記ＩＣカードの記憶手段に、本人認証用の情報として前記ＩＣカードの所有者の個人情報が記憶されていることを特徴とするＩＣカード。
【請求項２】
前記ＩＣカードの記憶手段に、本人認証用の情報として暗証番号が記憶されていることを特徴とする請求項１記載のＩＣカード。
【請求項３】
ＩＣカードを用いて金融取り引き処理を行うＡＴＭ（現金自動支払機）であって、
前記ＩＣカードを用いた金融取り引き処理を行う際の本人認証処理において、前記ＩＣカードから読み取られた前記ＩＣカードの所有者の個人情報と、前記ＡＴＭに入力された個人情報とを照合する照合手段と、前記照合手段の照合処理において照合一致した場合に、金融取り引き処理を可能な状態にする手段とを有していることを特徴とするＡＴＭ。
【請求項４】
前記ＡＴＭに入力された個人情報の中から照合に使用する個人情報を選択する照合情報選択手段が設けられていることを特徴とする請求項３記載のＡＴＭ。
【請求項５】
ＡＴＭ（現金自動支払機）と、前記ＡＴＭにより金融取り引き処理を行う際に使用するＩＣカードとからなる本人認証システムであって、
前記ＩＣカードは、本人認証用の情報として前記ＩＣカードの所有者の個人情報が記憶された記憶手段を有し、
前記ＡＴＭは、前記ＩＣカードに記憶されている前記個人情報を読み取る手段と、前記読み取られた個人情報の中から照合に使用する個人情報を選択する照合情報選択手段と、前記ＡＴＭの利用者が個人情報を入力する入力手段と、前記ＩＣカードから読み取った個人情報と、前記照合情報選択手段で選択された個人情報とを照合する照合手段と、前記照合手段の照合処理において照合一致した場合に、金融取り引き処理を可能な状態にする手段とを有していることを特徴とする本人認証システム。
【発明の詳細な説明】
【技術分野】
【０００１】
本発明は、ＡＴＭで金融取り引き処理を行う際に使用するＩＣカードと、利用者自身が操作して金融取り引き処理を行うことができるＡＴＭ（現金自動支払機）と、ＡＴＭで金融取り引き処理を行う際に必要な本人認証の不正処理を防止するための本人認証システムに関する。
【背景技術】
【０００２】
従来、盗んだ他人のキャッシュカードが使用されて、ＡＴＭにより他人の口座から不正に預金引き出しが行われたり、他人のキャッシュカードの偽造カードが作製されて、ＡＴＭにより他人の口座から不正に預金が引き出されたりするなどの犯罪が多発して問題となっている。
通常、他人のキャッシュカードを第三者が使用した場合であっても、ＡＴＭに入力した暗証番号の照合が一致すれば、ネットワークで接続されたＡＴＭを使用しても全国どこからでも現金の引き出し処理を行うことができる。
したがって、他人に暗証番号が知られないように注意したり、誕生日などのような他人が簡単に予想できる暗証番号の使用を避けるなどの対策が必要となっている。
【０００３】
しかしながら、ＡＴＭを操作して暗証番号の入力を行う際に、他人に盗み見られないように注意して入力したつもりでも、ビデオカメラで入力時の操作手順を盗撮するなどの巧妙な手段により暗証番号が第三者に知られてしまうことも考えられる。
このようなことから、利用者が記憶している暗証番号だけを利用して本人照合を行う方法では、セキュリティ上の対策が十分ではないという問題がある。
【０００４】
このようなことから、暗証番号の照合と併用して、または暗証番号の照合に代えて静脈照合などの生体認証処理を行えるようにしたＡＴＭや静脈照合システムなどの生体認証システムが知られている。（例えば、特許文献１参照）
しかしながら、例えば、静脈照合機能をＡＴＭに付加するためには、コストがかかるなどの問題もあり、簡単には現在設置されている全てのＡＴＭに静脈照合機能を備えられないという問題がある。
【特許文献１】特開２００１−６７５２３号公報
【発明の開示】
【発明が解決しようとする課題】
【０００５】
そこで、本発明は、暗証番号が第三者に知られ、キャッシュカードなどに用いられるＩＣカードが盗まれたり、また他人のＩＣカードの偽造カードが作製されたりした場合でも、それらのカードを使用してＡＴＭから簡単に預金の引き出しをすることができないようにして、第三者によるＡＴＭからの不正な預金の引き出しを防止することができるようにしたＩＣカード、ＡＴＭおよび本人認証システムを提供する。
【課題を解決するための手段】
【０００６】
本発明のＩＣカードは、ＡＴＭ（現金自動支払機）を利用して金融取り引き処理を行う際に使用するＩＣカードであって、前記ＩＣカードの記憶手段に、本人認証用の情報として前記ＩＣカードの所有者の個人情報が記憶されていることを特徴とする。
【０００７】
また、本発明のＩＣカードは、前記ＩＣカードの記憶手段に、本人認証用の情報として暗証番号が記憶されていることを特徴とする。
【０００８】
更に、本発明のＡＴＭ（現金自動支払機）は、ＩＣカードを用いて金融取り引き処理を行うＡＴＭ（現金自動支払機）であって、前記ＩＣカードを用いた金融取り引き処理を行う際の本人認証処理において、前記ＩＣカードから読み取られた前記ＩＣカードの所有者の個人情報と、前記ＡＴＭに入力された個人情報とを照合する照合手段と、前記照合手段の照合処理において照合一致した場合に、金融取り引き処理を可能な状態にする手段とを有していることを特徴とする。
【０００９】
また、本発明のＡＴＭ（現金自動支払機）は、前記ＡＴＭに入力された個人情報の中から照合に使用する個人情報を選択する照合情報選択手段が設けられていることを特徴とする。
【００１０】
更に、本発明の本人認証システムは、ＡＴＭ（現金自動支払機）と、前記ＡＴＭにより金融取り引き処理を行う際に使用するＩＣカードとからなる本人認証システムであって、  前記ＩＣカードは、本人認証用の情報として前記ＩＣカードの所有者の個人情報が記憶された記憶手段を有し、前記ＡＴＭは、前記ＩＣカードに記憶されている前記個人情報を読み取る手段と、前記読み取られた個人情報の中から照合に使用する個人情報を選択する照合情報選択手段と、前記ＡＴＭの利用者が個人情報を入力する入力手段と、前記ＩＣカードから読み取った個人情報と、前記照合情報選択手段で選択された個人情報とを照合する照合手段と、前記照合手段の照合処理において照合一致した場合に、金融取り引き処理を可能な状態にする手段とを有していることを特徴とする。
【発明の効果】
【００１１】
本発明のＩＣカードは、記憶手段に、本人認証用の情報として前記ＩＣカードの所有者の個人情報が記憶されているので、第三者に暗証番号が知られたり、ＩＣカードが盗まれたり、また偽造カードが作製されたとしても、ＡＴＭでの金融取り引きができないので、第三者による預金の引き出しを防止することができるという効果がある。
【００１２】
また、本発明のＩＣカードは、前記ＩＣカードの記憶手段に、前記ＩＣカードの所有者の個人情報と共に暗証番号も記憶されているので、本人認証処理として２度の照合が行えるので、第三者による不正な預金の引き出しを防止することができるという効果がある。
【００１３】
更に、本発明のＡＴＭは、ＩＣカードを用いた金融取り引き処理を行う際に、ＩＣカードから読み取られたＩＣカードの所有者の個人情報に基づいた照合処理が行われるので、第三者に暗証番号が知られたとしても第三者による不正な預金の引き出しを防止することができるという効果がある。
【００１４】
また、本発明のＩＣカードは、ＡＴＭに入力された個人情報の中から照合に使用する個人情報を選択する照合情報選択手段が設けられているので、第三者に１つの個人情報が知られたとしても第三者による不正な預金の引き出しを防止することができるという効果がある。
【００１５】
更に、本発明の本人認証システムは、ＡＴＭにおいて、ＩＣカードから読み取った個人情報と、入力された個人情報とを照合し、照合一致した場合に金融取り引き処理を可能な状態にするので、暗証番号が第三者に知られ、キャッシュカードなどに用いられるＩＣカードが盗まれたり、また他人のＩＣカードの偽造カードが作製されたりした場合でも、それらのカードを使用してＡＴＭから簡単に預金の引き出しをすることができないので、第三者によるＡＴＭからの不正な預金の引き出しを防止することができるという効果がある。
【発明を実施するための最良の形態】
【００１６】
以下、本発明の実施形態に係るＩＣカード、ＡＴＭおよび本人認証システムについて、図面に基づいて詳細に説明する。
図１は、本発明の実施形態に係るＩＣカードの平面図、図２は、本発明の実施形態に係るＩＣカードのシステムブロック図、図３は、本発明の実施形態に係る本人認証システムの概要を説明するための図、図４は、本発明の実施形態に係る本人認証システムのシステムブロック図、図５は、本発明の実施形態に係る本人認証システムの処理手順を説明するフローチャートである。
【００１７】
本発明の実施形態に係るＩＣカード１は、図１に示すように、ＩＣチップが内蔵されたＩＣモジュール２がカード基材に埋設されている。
そして、図２に示すように、ＩＣモジュール２に内臓されたＩＣチップには、ＣＰＵ３、書き換え可能な不揮発性メモリ（ＥＥＰＲＯＭ）４、揮発性メモリ（ＲＡＭ）５、読み出し専用メモリ（ＲＯＭ）６が備えられている。
また、更にＩＣモジュール２には、電源電圧を供給するＶＣＣ端子７、接地用のＧＮＤ端子８、リセット信号を供給するＲＳＴ端子９、クロック信号を供給するＣＬＫ端子１０、データ入出力用のＩ／Ｏ端子１１が備えられている。
【００１８】
そして、ＩＣモジュール２のＩＣチップにおいて、ＥＥＰＲＯＭ４には、口座情報１２を記憶させる口座情報記憶エリアと、ＩＣカード１の所有者の個人情報１３を記憶させる個人情報記憶エリアと設けられている。
個人情報記憶エリアに記憶させるＩＣカード所有者の個人情報１３とは、例えば、ＩＣカード所有者本人の血液型、生年月日、生まれた年の干支、また、ＩＣカード所有者の家族の血液型、生年月日、生まれた年の干支、などの情報である。
個人情報記憶エリアに記憶させる個人情報は、第三者によるＩＣカード１の不正利用を防止するためにも複数の個人情報を記憶させることが好ましい。
【００１９】
図３及び図４に示すように、ＡＴＭ１５は、ネットワーク１６を介してサーバ１７と通信可能に接続されている。
ＡＴＭ１５には、表示手段１８、ジャーナル印字手段１９、カード情報読取書込手段２０、現金処理手段２１、記憶手段２２、入力手段２３、個人情報照合手段２４、照合情報選択手段２５、通信手段２６、制御手段２７などが備えられている。
ジャーナル印字手段１９は、「キャッシュサービスご利用明細」であるジャーナルに、取引日時、取引種別、取引金額、残高などを印字する機能を有し、利用者に対して金融取引きに関する詳細情報を提供する。
【００２０】
カード情報読取書込手段２０は、ＩＣカード１に記憶されている口座情報１２や個人情報１３の読み取りを行う機能を有している。
照合情報選択手段２５は、カード情報読取書込手段２０でＩＣカード１から読み取った複数の個人情報１３の中から、照合に使用する１つの個人情報１３を選択する機能を有している。
個人情報照合手段２４は、照合情報選択手段２５により照合用として選択された個人情報と、ＩＣカード１から読み取られた個人情報とを照合する機能を有している。
そして、制御手段２７は、暗証番号に基づく照合による認証と、個人情報に基づく照合による認証との両方が、認証成立することを条件として、ＩＣカード１によりＡＴＭ１５での金融取引きが行なえるように制御する。
【００２１】
また、サーバ１７には、暗証番号照合手段３０、記憶手段３１、通信手段３２、本人認証手段３３、金融取引処理手段３４、制御手段３５、預金者情報データベース３６などが備えられている。
預金者情報データベース３６には、ＡＴＭ１５の利用者である預金者の個人情報、暗証番号情報、預金情報などが登録されている。
暗証番号照合手段３０は、ＡＴＭ１５から受信した口座情報である口座番号に基づいて、預金者情報データベース３６に登録されている暗証番号と、利用者がＡＴＭ１５に入力した暗証番号とを照合する機能を有し、本人認証手段３３は、暗証番号照合手段３０による照合結果が一致した場合に本人認証されたことの承認を行う機能を有している。
【００２２】
次に、図５に基づいて、本発明の実施形態に係る本人認証システムの処理手順を説明する。
まず、利用者は、ＡＴＭ１５のカード挿入口からＩＣカード１を挿入させることで、ＡＴＭ１５によりＩＣカード１に記憶されている口座情報である口座番号と個人情報とを読み取らせ、記憶手段２２に記憶される。（ステップＳ１）
次に、ＡＴＭ１５は、ＩＣカード１から読み取った個人情報の中から、照合に使用するための１つの個人情報を選択させる。（ステップＳ２）
次に、ＡＴＭ１５の表示手段１８に、利用者に対して暗証番号を入力することを指示する表示と、更に、照合用として選択された個人情報を入力することを指示する表示とが行われる。（ステップＳ３）
そして、利用者は、ＡＴＭ１５の入力手段２３から暗証番号と個人情報の入力を行う。（ステップＳ４）
そして、ＡＴＭ１５からサーバ１７に対して、口座番号情報と暗証番号情報とが送信される。（ステップＳ５）
【００２３】
次に、サーバ１７において、預金者情報データベース３６に口座番号情報と関係付けられて登録されている暗証番号と、ＡＴＭ１５から受信した暗証番号との照合処理が行われる。（ステップＳ６）
この照合処理において、照合一致した場合には、本人認証が承認され、サーバ１７からＡＴＭ１５に対して、本人認証が承認されたことを示す承認情報が送信される。（ステップＳ７）
この照合処理において、照合不一致した場合には、サーバ１７からＡＴＭ１５に対して、本人認証が承認されなった示す不承認情報が送信される。（ステップＳ８）
次に、ＡＴＭ１５内において、ＡＴＭ１５がサーバ１７から承認情報を受信した場合には、既にＡＴＭ１５に入力されている個人情報と、記憶手段２２に記憶されている個人情報との照合が行われる。（ステップＳ９）
また、ＡＴＭ１５内において、ＡＴＭ１５がサーバ１７から不承認情報を受信した場合には、ＡＴＭ１５による金融取引きが行えない状態のまま処理の中止となるように制御される。（ステップＳ１０）
【００２４】
この照合で一致した場合には、全ての本人認証が承認されたことになり、ＡＴＭ１５による金融取引きが行える状態に制御される。（ステップＳ１１）
また、この照合で不一致となった場合には、ＡＴＭ１５による金融取引きが行えない状態のまま処理の中止となるように制御される。（ステップＳ１０）
以上の処理手順により、暗証番号と個人情報とに基づく２重の照合処理で、それぞれ照合一致した場合にだけ、ＡＴＭ１５による金融取引きが可能となるように制御される。
【００２５】
上記の本発明の実施形態に係る本人認証システムにおいては、ＡＴＭ１５の入力手段２３から入力した個人情報と、ＩＣカード１に記憶されている個人情報との照合処理をＡＴＭ１５内に設けた個人情報照合手段で行っているが、他の実施形態として、この個人情報の照合処理をＩＣカード１内において行うようにしてもよい。
【図面の簡単な説明】
【００２６】
【図１】本発明の実施形態に係るＩＣカードの平面図である。
【図２】本発明の実施形態に係るＩＣカードのシステムブロック図である。
【図３】本発明の実施形態に係る本人認証システムの概要を説明するための図である。
【図４】本発明の実施形態に係る本人認証システムのシステムブロック図である。
【図５】本発明の実施形態に係る本人認証システムの処理手順を説明するフローチャートである。
【符号の説明】
【００２７】
１  ＩＣカード
２  ＩＣモジュール
３  ＣＰＵ
４  書き換え可能な不揮発性メモリ（ＥＥＰＲＯＭ）
５  揮発性メモリ（ＲＡＭ）
６  読み出し専用メモリ（ＲＯＭ）
７  ＶＣＣ端子
８  接地用のＧＮＤ端子
９  ＲＳＴ端子
１０  ＣＬＫ端子
１１  Ｉ／Ｏ端子
１２  口座情報
１３  個人情報
１５  ＡＴＭ
１６  ネットワーク
１７  サーバ
１８  表示手段
１９  ジャーナル印字手段
２０  カード情報読取書込手段
２１  現金処理手段
２２，３１  記憶手段
２３  入力手段
２４  個人情報照合手段
２５  照合情報選択手段
２６，３２  通信手段
２７，３５  制御手段
３０  暗証番号照合手段
３３  本人認証手段
３４  金融取引処理手段
３６  預金者情報データベース
【図１】
2007164547.tif 000003
【図２】
2007164547.tif 000004
【図３】
2007164547.tif 000005
【図４】
2007164547.tif 000006
【図５】
2007164547.tif 000007